(57)【要約】      （修正有）【課題】ピックアップ検査の効率性を向上させることができる。【解決手段】ディスクドライブに装着されてディスクのデータを読み出すことができるピックアップの性能を検査するピックアップ検査装置１において、ディスクを支持して回転させるディスク駆動ユニットと、前記ディスク駆動ユニットに支持されたディスクを読み出すことができるように前記ピックアップを取り付けて、前記ディスク駆動ユニットに移送できるようにするピックアップ移送ユニット２０と、を含み、前記複数のピックアップの性能を同時に検査することができるように、前記一つのディスク駆動ユニットに対して前記複数のピックアップ移送ユニット２０が設けられることを特徴とするピックアップ検査装置１により達成される。【選択図】図４
2004199852.tif 000002
【特許請求の範囲】
【請求項１】
ディスクドライブに装着されてディスクのデータを読み出すことができるピックアップの性能を検査するピックアップ検査装置において、
ディスクを支持して回転させるディスク駆動ユニットと、
前記ディスク駆動ユニットに支持されたディスクを読み出すことができるように前記ピックアップを取り付けて、前記ディスク駆動ユニットに移送できるようにするピックアップ移送ユニットと、を含み、
前記複数のピックアップの性能を同時に検査することができるように、前記一つのディスク駆動ユニットに対して前記複数のピックアップ移送ユニットが設けられることを特徴とするピックアップ検査装置。
【請求項２】
前記ディスク駆動ユニットは、ディスクを支持する支持軸と、前記支持軸と結合されて前記ディスクを回転させるスピンドルモータと、を含むことを特徴とする請求項１に記載のピックアップ検査装置。
【請求項３】
前記ピックアップ移送ユニットは、前記ピックアップが取り付けられる取付部と、前記取付部と結合されて前記取付部の角度を調節することができる角度調節部と、前記角度調節部に対して結合されて前記取付部に取り付けられた前記ピックアップを前記ディスク駆動ユニットに移送できるようにするフィードモータと、を含むことを特徴とする請求項２に記載のピックアップ検査装置。
【請求項４】
前記ディスク駆動ユニット及び前記ピックアップ移送ユニットを支持するベース部材をさらに含み、
前記スピンドルモータは、前記ベース部材に結合されて支持され、前記支持軸は前記スピンドルモータの上側に結合されて支持され、ディスクは前記支持軸の上端に一体に回動できるように結合されることを特徴とする請求項３に記載のピックアップ検査装置。
【請求項５】
前記角度調節部の下側に前記角度調節部と一体に結合されたガイドブロックと、前記ベース部材に設けられて前記ガイドブロックを案内するガイドレールと、をさらに含み、
前記フィードモータは、前記ガイドブロックと結合して前記ガイドブロックを前記ガイドレールに沿って移送できるようにすることを特徴とする請求項４に記載のピックアップ検査装置。
【請求項６】
前記ピックアップ移送ユニットは、前記一つのディスク駆動ユニットの放射方向に四つが設けられることを特徴とする請求項５に記載のピックアップ検査装置。
【請求項７】
前記各ピックアップから電送される信号を時分割の形態の信号に切換える測定部と；
前記測定部から切換えられた入力信号が電送されて、前記各ピックアップを制御する制御部と；
をさらに含むことを特徴とする請求項１乃至６に記載のピックアップ検査装置。
【発明の詳細な説明】
【技術分野】
【０００１】
本発明は、ピックアップ検査装置に係り、さらに詳しくは、ディスクドライブに装着されて、ディスクのデータを読み出すことができるピックアップの性能を検査するピックアップ検査装置に関する。
【背景技術】
【０００２】
一般に、ＣＤ−ＲＯＭ（Ｃｏｍｐａｃｔ Ｄｉｓｋ Ｒｅａｄ Ｏｎｌｙ Ｍｅｍｏｒｙ）ドライブと、ＣＤ−ＲＷ（Ｃｏｍａｐｃｔ Ｄｉｓｋ ＲｅＷｒｉｔａｂｌｅ）ドライブ及びＤＶＤ（Ｄｉｇｉｔａｌ Ｖｅｒｓａｔｉｌｅ Ｄｉｓｋ）ドライブのようなディスクドライブには、ＣＤ（Ｃｏｍｐａｃｔ Ｄｉｓｋ）のようなディスクからデータを読み出したり、書き込んだりすることができるピックアップ（Ｐｉｃｋｕｐ）が設けられている。
【０００３】
ピックアップは、レーザビームを発生させる光ダイオードと、光ダイオードから発生されるビームをディスクに集光させるための対物レンズが取り付けられたアクチュエータ等を含む。
【０００４】
また、このようなピックアップが組立てられた後には、ピックアップが正しく作動するか否かを確認するためのピックアップ性能を検査するのに、この時ピックアップ性能を検査するためのピックアップ検査装置が使用される。
【０００５】
図１乃至図３は、従来のピックアップ検査装置に関する図面である。これらの図面に示すように、ピックアップ検査装置１０１は、ピックアップ１１０を取り付けることができる取付部１２１と、取付部１２１の下側に設けられて取付部１２１に取り付けられたピックアップ１１０の角度を多様に調節する角度調節部１２５と、ピックアップ１１０を検査するための所定のデータが入力されたディスク１０３を支持して回転させるディスク駆動ユニット１３０と、ディスク駆動ユニット１３０をピックアップが取り付けられた取付部１２１に移送するためのフィードモータ（Ｆｅｅｄ Ｍｏｔｏｒ）１２７と、ピックアップ１１０から電送される信号を測定して不良可否を判断する測定部（図示せず）と、ピックアップ１１０及びディスク１０３を初期位置に制御し、測定部から電送された信号を利用してピックアップ１１０及びディスク１０３を制御する制御部（図示せず）と、測定部から電送された信号を利用してピックアップ１１０の不良可否をディスプレイするコンピュータ（図示せず）を含む。
【０００６】
ピックアップ１１０は、ディスクドライブに装着されてディスクドライブに設けられたディスクからデータを読み出したり書き込んだりすることができるようにレーザビームを発生させる光ダイオード（図示せず）と、光ダイオードから発生されるビームをディスクに集光させるための対物レンズ（図示せず）が取り付けられたアクチュエータ（図示せず）等を含む。また、以下、本明細書でのピックアップ１１０は、組立工程で組立が完了されて性能検査のためのピックアップ検査装置１０１に投入された状態である。
【０００７】
取付部１２１は、ピックアップ１１０を容易に交替するように支持する役割をする。
【０００８】
角度調節部１２５は、取付部１２１の下側に設けられて取付部１２１に取り付けられたピックアップ１１０の角度を多様に調節することができるように制御部により制御される第１スキューモータ（Ｓｋｅｗ Ｍｏｔｏｒ）１２５ａ及び第２スキューモータ１２５ｂを含む。
【０００９】
ディスク駆動ユニット１３０は、ディスク１０３と結合して支持する支持軸１３１と、支持軸１３１を回転できるように支持する支持台１３２と、支持台１３２の上側に支持軸１３１と結合されてディスク１０３を回転させるスピンドルモータ１３５と、を含む。また、スピンドルモータ１３５は、ディスク１０３が結合される支持軸１３１を回転させてディスク１０３を回転させるのに、このようなスピンドルモータ１３５は制御部により制御される。
【００１０】
フィードモータ１２７は、ディスク駆動ユニット１３０の後方に設けられて、回転軸１２８を介して支持台１３２に結合されている。また、回転軸１２８の外周面には、ネジ山が形成され、支持台１３２の後方には回転軸１２８とネジ結合できるように雌ネジが形成される。これにより、フィードモータ１２７が回転軸１２８を回転させながら、回転軸１２８とネジ結合された支持台１３２が前後方向に移送され、支持台１３２の移送方向は、制御部により制御されるフィードモータ１２７の回転方向により決定される。
【００１１】
測定部は、ピックアップ１１０からディスク１０３に記録されたデータを読み出した信号が伝達され分析して、不良可否を判断し、一部信号を制御部に電送し、分析された信号をコンピュータに電送してディスプレイする。
【００１２】
制御部は、ピックアップ１１０が取付部１２１に取り付けられると、角度調節部１２５とフィードモータ１２７を制御してピックアップ１１０及びディスク１０３を初期位置に移動させて、ピックアップ１１０の光ダイオードから発生されるビーム等を制御する。また、制御部は、ピックアップ１１０がディスク１０３のデータを読み出した信号が測定部から電送されて、角度調節部１２５とフィードモータ１２７及びスピンドルモータ１３５を制御してピックアップ１１０及びディスク１０３の位置等を変化させる役割を果たす。
【００１３】
コンピュータは、初期に制御部及び測定部に信号を送って、ピックアップ１１０及びディスク１０３を初期位置等の制御及び測定を指示し、測定部からピックアップ１１０の不良可否が分析された信号が伝達されてディスプレイする等の役割を果たす。
【００１４】
これにより、従来のピックアップ検査装置１０１の作動過程は次の通りである。まず、ピックアップ１１０が取付部１２１に取り付けられ、ディスク１０３が支持軸１３１に装着される。これにより、コンピュータが制御部に信号を送って制御部がピックアップ１１０及びディスク１０３を初期状態にするように角度調節部１２５とフィードモータ１２７及びスピンドルモータ１３５を制御する。また、コンピュータが測定部に信号を送って測定部がピックアップ１１０からディスク１０３のデータを読み出した信号が伝達されて分析して不良可否を判断し、一部信号を制御部に電送し、分析された信号をコンピュータに電送して、ディスプレイすることになる。また、制御部は、測定部から伝達された信号を利用してピックアップ及びディスク１０３の位置を制御することになる。また、測定部は、ピックアップ１１０から信号がさらに伝達されて、前述のような遂行を繰返し、ピックアップ１１０の不良可否がコンピュータにディスプレイされる。
【００１５】
しかし、このような従来のピックアップ検査装置１０１は、一度に一つのピックアップ１１０だけを検査するので、多量のピックアップ１１０を検査するためには、長い時間がかかり、また人力が多くかかって効率性が落ちるので、生産コストがアップするという問題がある。
【発明の開示】
【発明が解決しようとする課題】
【００１６】
本発明の目的は、ピックアップ検査の効率性を向上させることができるピックアップ検査装置を提供することである。
【課題を解決するための手段】
【００１７】
上記目的を達成するための本発明は、ディスクドライブに装着されてディスクのデータを読み出すことができるピックアップの性能を検査するピックアップ検査装置において、ディスクを支持して回転させるディスク駆動ユニットと、前記ディスク駆動ユニットに支持されたディスクを読み出すことができるように前記ピックアップを取り付けて、前記ディスク駆動ユニットに移送できるようにするピックアップ移送ユニットと、を含み、前記複数のピックアップの性能を同時に検査することができるように、前記一つのディスク駆動ユニットに対して前記複数のピックアップ移送ユニットが設けられることを特徴とするピックアップ検査装置により達成される。
【００１８】
ここで、前記ディスク駆動ユニットは、ディスクを支持する支持軸と、前記支持軸と結合されて前記ディスクを回転させるスピンドルモータと、を含むことが好ましい。
【００１９】
前記ピックアップ移送ユニットは、前記ピックアップが取り付けられる取付部と、前記取付部と結合されて前記取付部の角度を調節することができる角度調節部と、前記角度調節部に対して結合されて前記取付部に取り付けられた前記ピックアップを前記ディスク駆動ユニットに移送できるようにするフィードモータと、を含むことが好ましい。
【００２０】
前記ディスク駆動ユニット及び前記ピックアップ移送ユニットを支持するベース部材をさらに含み、前記スピンドルモータは、前記ベース部材に結合されて支持され、前記支持軸は前記スピンドルモータの上側に結合されて支持され、ディスクは前記支持軸の上端に一体に回動できるように結合されることが好ましい。
【００２１】
前記角度調節部の下側に前記角度調節部と一体に結合されたガイドブロックと、前記ベース部材に設けられて前記ガイドブロックを案内するガイドレールと、をさらに含み、前記フィードモータは、前記ガイドブロックと結合して前記ガイドブロックを前記ガイドレールに沿って移送できるようにすることが好ましい。
【００２２】
前記ピックアップ移送ユニットは、前記一つのディスク駆動ユニットの放射方向に四つが設けられることが好ましい。
【００２３】
前記各ピックアップから電送される信号を時分割の形態の信号に切換える測定部と；前記測定部から切換えられた入力信号が電送されて、前記各ピックアップを制御する制御部と；をさらに含むことが好ましい。
【発明の効果】
【００２４】
前述したように、本発明によると、ピックアップ検査の効率性を向上させることができる。
【発明を実施するための最良の形態】
【００２５】
以下、添付の図面を参照して本発明を詳細に説明する。
図４及び図６に示すように、本発明によるピックアップ検査装置１は、ピックアップ１０を検査するための所定のデータが入力されたディスク３を支持して回転させるディスク駆動ユニット３０と、ディスク駆動ユニット３０に支持されたディスク３に記録されたデータを読み出すことができるようにピックアップ１０を取り付けてディスク駆動ユニット３０に移送できるようにするピックアップ移送ユニット２０と、を含む。また、本発明の一実施形態によるピックアップ検査装置１は、四つのピックアップ１０の性能を同時に検査することができるように一つのディスク駆動ユニット３０に四つのピックアップ移送ユニット２０が設けられる。
【００２６】
ピックアップ１０は、ディスクドライブに装着されてディスクドライブに設けられたディスクからデータを読み出したり書き込んだりすることができるようにレーザビームを発生させる光ダイオードと、光ダイオードから発生されるビームをディスクに集光させるための対物レンズが取り付けられたアクチュエータ等を含む。また、以下本明細書のピックアップ１０は組立工程で組立が完了されて性能検査のためにピックアップ検査装置１に投入された状態である。
【００２７】
ディスク駆動ユニット３０は、ディスク３と結合して支持する支持軸３１と、支持軸３１と結合されてディスク３を回転させるスピンドルモータ３５を含む。
【００２８】
スピンドルモータ３５は、支持軸３１の下端部と結合して支持軸３１を回転させることにより支持軸３１と結合されたディスク３を回転させることになる。また、スピンドルモータ３５は、ベース部材５に結合されて支持される。
【００２９】
支持軸３１は、スピンドルモータ３５で所定の長さを有し、上方向に設けられ、その上端にはディスク３と一体に回動できるようにねじのような結合手段により結合される。
【００３０】
ピックアップ移送ユニット２０は、四つが設けられて、ディスク駆動ユニット３０の放射方向にそれぞれ９０゜になるように配置される。また、各ピックアップ移送ユニット２０は、ピックアップ１０が取り付けられる取付部２１と、取付部２１と結合されて取付部２１の角度を調節することができる角度調節部２５と、角度調節部２５と結合されて取付部２１に取り付けられたピックアップ１０をディスク駆動ユニット３０に移送できるようにするフィードモータ２７と、を含む。
【００３１】
取付部２１は、ピックアップ１０を容易に取り替えられるように支持する役割を果たす。
【００３２】
角度調節部２５は、取付部２１の下側に設けられて取付部２１に取り付けられたピックアップ１０の角度を多様に調節することができるように制御部４０により制御される第１スキューモータ２５ａ及び第２スキューモータ２５ｂを含む。また、角度調節部２５の下側には、フィードモータ２７と回転軸２８により結合されるガイドブロック２９が設けられ、ベース部材５にはガイドブロック２９を案内するガイドレール７が設けられる。
【００３３】
フィードモータ２７は、角度調節部２５の外側に設けられてガイドブロック２９と回転軸２８により結合される。また、回転軸２８の外周面には、ネジ山が形成され、ガイドブロック２９には回転軸２８が挿入できるように貫通され、その貫通された内部面には回転軸２８のネジ山に対応して雌ネジが形成される。これにより、フィードモータ２７が回転軸２８を回転させながら回転軸２８とネジ結合されたガイドブロック２９がベース部材５の上側に設けられたガイドレール７に沿って移送することになり、ガイドブロック２９の移送方向は制御部４０により制御されるフィードモータ２７の回転方向によって決定される。
【００３４】
測定部４５は、各ピックアップ１０からディスク３に記録されたデータを読み出した信号が伝達され、分析して不良可否を判断し、時分割の形態の信号に切換えて制御部４０に電送し、分析された信号をコンピュータ５０に電送してディスプレイすることになる。
【００３５】
制御部４０は、各ピックアップ１０が取付部２１に取り付けられると、角度調節部２５とフィードモータ２７及びスピンドルモータ３５を制御して各ピックアップ１０を初期位置に移動させるとともにディスクを回転させ、ピックアップ１０の光ダイオードで発生されるビーム等を制御する。また、制御部４０は、測定部４５から切換えられた信号が電送されて角度調節部２５とフィードモータ２７及びスピンドルモータ３５を制御して各ピックアップ１０及びディスク３の位置及び回転等を変化させる役割を果たす。
【００３６】
コンピュータ５０は、初期に制御部４０に信号を送って、各ピックアップ１０を初期位置に移動させるとともに、ディスク３を回転させるように制御し、測定部４５に信号を送って各ピックアップ１０から信号が伝達されて測定するように支持する。また、コンピュータ５０は、測定部４５からピックアップ１０の不良可否を分析した信号が伝達されてディスプレイする等の役割を果たす。
【００３７】
このような構成により、本発明によるピックアップ検査装置１の作動過程を見ると次の通りである。まず、図５ａに示すように、四つのピックアップ１０が四つの取付部２１に取り付けられ、ディスク３が支持軸３１に装着される。これにより、図５ｂに示すように、コンピュータ５０が制御部４０に信号を送って制御部４０が各ピックアップ１０及びディスク３を初期状態にするように各ピックアップ１０と角度調節部２５とフィードモータ２７及びスピンドルモータ３５を制御する。
【００３８】
また、コンピュータ５０が測定部４５に信号を送って測定部４５が各ピックアップ１０からディスク３のデータを読み出した信号を分析して不良可否を判断し、時分割の形態の信号に切換えて制御部４０に電送し、分析された信号をコンピュータ５０に電送してディスプレイすることになる。また、制御部４０は、測定部４５から伝達された信号を利用して、各ピックアップ１０及びディスク３の位置を制御することになる。また、測定部４５は各ピックアップ１０から信号が伝達されて前述のような遂行を繰返して、各ピックアップ１０の不良可否をコンピュータ５０にディスプレイする。
【００３９】
これにより、本発明によるピックアップ検査装置１は、一つのディスク駆動ユニット３０に四つのピックアップ移送ユニット２０を設けて、四つのピックアップ１０の性能を同時に検査することができるので、ピックアップ１０検査の効率性を向上させることができる。
【００４０】
前述した実施形態では、一つのディスク駆動ユニット３０に放射状に四つのピックアップ移送ユニット２０を設けて、四つのピックアップ１０の性能を同時に検査することができ、このようなピックアップ移送ユニットを一つのディスク駆動ユニットに二つや三つまたは五つの以上に設けて、二つや三つまたは五つ以上のピックアップの性能を同時に検査することもできる。
【図面の簡単な説明】
【００４１】
【図１】従来のピックアップ検査装置の斜視図である。
【図２】図１のピックアップ検査装置の平面図である。
【図３】図１のピックアップ検査装置の正面図である。
【図４】本発明によるピックアップ検査装置の平面図である。
【図５ａ】図４のピックアップ検査装置の断面図である。
【図５ｂ】図４のピックアップ検査装置の断面図である。
【図６】本発明によるピックアップ検査装置のブロック図である。
【符号の説明】
【００４２】
１  ピックアップ検査装置
３  ディスク
５  ベース部材
７  ガイドレール
１０  ピックアップ
２０  ピックアップ移送ユニット
２１  取付部
２５  角度調節部
２７  フィードモータ
２８  回転軸
２９  ガイドブロック
３０  ディスク駆動ユニット
３１  支持軸
３５  スピンドルモータ
４０  制御部
４５  測定部
５０  コンピュータ  
【図１】
2004199852.tif 000003
【図２】
2004199852.tif 000004
【図３】
2004199852.tif 000005
【図４】
2004199852.tif 000006
【図５ａ】
2004199852.tif 000007
【図５ｂ】
2004199852.tif 000008
【図６】
2004199852.tif 000009